(57)【要約】      （修正有）【課題】毎日非常に多くの人物に会う職業や、セキュリティーを職務とする職業に携わる人々の要請に応じた顔認証装置を提供する。【解決手段】顔認証装置は、接近してきた人物の顔写真を撮影可能な小型カメラ４２を取り付けた身の回り品（バッジ４４）と、顔認証手段を内蔵するとともに、前記接近してきた人物を含む多数の素性データを記憶させてあるＣＰＵ４３と、写真および人物の素性データとを表示可能なタブレット端末やスマートフォンからなる携帯型情報端末４１とを備える。小型カメラで撮影した顔写真を顔認証手段で判別し、かつ、顔写真のデータを記憶させてある素性データと照合して当該接近してきた人物を特定して、特定した人物の顔写真および素性データを携帯型情報端末のモニタ４１ａに表示する。【選択図】図５
2018106445.tif 000002
【特許請求の範囲】
【請求項１】
接近してきた人物の顔写真を撮影可能な小型カメラを取り付けた身の回り品と、
顔認証手段を内蔵するとともに、前記接近してきた人物を含む多数の素性データを記憶させてあるＣＰＵと、
写真および人物の素性データとを表示可能なタブレット端末やスマートフォンからなる携帯型情報端末とを備え、
前記小型カメラで撮影した顔写真を前記顔認証手段で判別し、かつ顔写真のデータを記憶させてある素性データと照合して当該接近してきた人物を特定して、特定した人物の顔写真および素性データを携帯型情報端末のモニタに表示するようにしたことを特徴とする顔認証装置。
【請求項２】
前記小型カメラを取り付けた身の回り品が、バッジやタイピンその他のアクセサリーや時計、ネームプレート、眼鏡、イヤホン、筆記具を含むことを特徴とする請求項１に記載の顔認証装置。
【請求項３】
前記接近してきた人物を含む多数の素性データを記憶させてあるＣＰＵが、前記携帯型情報端末に内蔵されており、前記特定した人物の顔写真および素性データを前記携帯型情報端末のモニタに表示するようにしたことを特徴とする請求項１または２に記載の顔認証装置。
【請求項４】
前記接近してきた人物を含む多数の素性データを記憶させてある領域が、前記携帯型情報端末とは別体のＣＰＵに内蔵されており、前記特定した人物の顔写真および素性データを前記携帯型情報端末に送信して該端末のモニタに表示するようにしたことを特徴とする請求項１または２に記載の顔認証装置。
【発明の詳細な説明】
【技術分野】
【０００１】
この発明は、接近してきた人物の顔写真を携行している小型カメラで撮影し、この小型カメラで撮影した顔写真を顔認証手段で判別した上、当該接近してきた人物の素性データと照合して当該接近してきた人物を特定し、特定した人物の顔写真および素性データを携帯型情報端末のモニタに表示するようにした顔認証装置に関するものである。
【背景技術】
【０００２】
従来の顔認証装置は、特開２０１０−２０６３６４号公報（特許文献１参照）のように、例えば人感センサで起動する固定式の撮影カメラで通行人や対象に近づく人物の顔写真を撮影し、これを顔認証手段で判別した上、当該接近してきた人物の素性データと照合して当該接近してきた人物を特定するようになっている。
しかしながら、例えば議員やその秘書、会社の役員や営業マン等の毎日非常に多くの人物に会う職業や、警察官や警備員等の指名手配犯等の危険人物を特定する必要のあるセキュリティーを職務とする職業においては、顔は見た記憶があるが人物を特定できないことが多く、速やかに人物を特定することが望まれている。
【０００３】
このようにこれはと思う人物の顔写真を迅速に撮影し、この撮影した顔写真を顔認証装置に送って人物を特定することまでは行われているが、この顔写真から判明した人物の素性データを手元の携帯型情報端末のモニタに表示することは行われておらず、毎日非常に多くの人物に会う職業や、セキュリティーを職務とする職業に携わる人々のもどかしさは何ら解消されていないのが現状であった。
【先行技術文献】
【特許文献】
【０００４】
【特許文献１】特開２０１０−２０６３６４号公報
【発明の開示】
【発明が解決しようとする課題】
【０００５】
この発明の顔認証装置は、従来例における上記課題を解決しようとするものであり、顔写真から判明した人物の素性データを手元の携帯型情報端末のモニタに表示するようにして毎日非常に多くの人物に会う職業や、セキュリティーを職務とする職業に携わる人々の要請に応じた顔認証装置を提案することを目的とものである。
【課題を解決するための手段】
【０００６】
すなわちこの発明の顔認証装置は、接近してきた人物の顔写真を撮影可能な小型カメラを取り付けた身の回り品と、
顔認証手段を内蔵するとともに、前記接近してきた人物を含む多数の素性データを記憶させてあるＣＰＵと、
写真および人物の素性データとを表示可能なタブレット端末やスマートフォンからなる携帯型情報端末とを備え、
前記小型カメラで撮影した顔写真を前記顔認証手段で判別し、かつ顔写真のデータを記憶させてある素性データと照合して当該接近してきた人物を特定して、特定した人物の顔写真および素性データを携帯型情報端末のモニタに表示するようにしたことを特徴とするものである。
【０００７】
この発明の顔認証装置において前記小型カメラを取り付けた身の回り品は、バッジやタイピンその他のアクセサリーや時計、ネームプレート、眼鏡、イヤホン、筆記具を含むことをも特徴とするものである。
【０００８】
この発明の顔認証装置において前記接近してきた人物を含む多数の素性データを記憶させてある領域は、前記携帯型情報端末に内蔵されており、前記特定した人物の顔写真および素性データを前記携帯型情報端末のモニタに表示するようにしたことをも特徴とするものである。
【０００９】
この発明の顔認証装置において前記接近してきた人物を含む多数の素性データを記憶させてある領域が、前記携帯型情報端末とは別体のＣＰＵに内蔵されており、前記特定した人物の顔写真および素性データを前記携帯型情報端末に送信して該端末のモニタに表示するようにしたことをも特徴とするものである。
【発明の効果】
【００１０】
この発明の顔認証装置は、接近してきた人物の顔写真を携行している小型カメラで撮影し、この小型カメラで撮影した顔写真を顔認証手段で判別した上、当該接近してきた人物の素性データと照合して当該接近してきた人物を特定し、特定した人物の顔写真および素性データを携帯型情報端末のモニタに表示するようにしたものである。
【００１１】
したがって、例えば議員やその秘書、会社の役員や営業マン等の毎日非常に多くの人物に会う職業や、警察官や警備員等の指名手配犯等の危険人物を特定する必要のあるセキュリティーを職務とする職業においても、これはと思う人物の顔写真を迅速に撮影し、この撮影した顔写真を顔認証装置に送って判明した人物の素性データを迅速に手元の携帯型情報端末のモニタに表示することができるようになったのである。
これによって、毎日非常に多くの人物に会う職業や、セキュリティーを職務とする職業に携わる人々のもどかしさが速やかに解消されたのである。
【図面の簡単な説明】
【００１２】
【図１】この発明の顔認証装置が解決しようとする状況を示す概略図である。
【図２】小型カメラの取付位置の例を示す概略図である。
【図３】小型カメラの作動状況を示す概略図である。
【図４】（ａ）〜（ｃ）は小型カメラと顔認証手段を内蔵した携帯型情報端末の概略図である。
【図５】小型カメラ、顔認証手段を内蔵したＣＰＵ、および携帯型情報端末を通信によって接続した場合の概略図である。
【図６】毎日非常に多くの人物に会う職業の人々が利用する場合を説明するためのイメージ図である。
【図７】セキュリティーを職務とする職業に携わる人々が利用する場合を説明するためのイメージ図である。
【発明を実施するための形態】
【００１３】
以下この発明の顔認証装置の実施の形態を、図面に基づいて詳細に説明する。
図１はこの発明の顔認証装置が解決しようとする状況を示すものであり、例えば議員やその秘書１１、会社の役員や営業マン等の毎日非常に多くの人物に会う職業や、警察官や警備員等の指名手配犯等の危険人物を特定する必要のあるセキュリティーを職務とする職業に携わる人々においては、顔は見た記憶があるが人物を特定できないことが多く、速やかに目の前の人物１２を特定することが望まれている。
すなわち、議員やその秘書１１は、有権者等の顔と氏名、どのような関わりがあるかについてはそのすべてを覚えていることは困難であり、速やかに目の前の人物１２を特定することができない場合が多かった。すなわち、「相手はこちらを知っているが、こちらは覚えきれない。」のであって、知っているふりをして何とか会話で思い出そうとするのであるが、それにも限界がある。
【００１４】
図２はこの発明の顔認証装置に用いられる小型カメラの取付位置の例を示すものであり、小型カメラ２１を取り付けた身の回り品の例としては、バッジ２２やタイピン２３、眼鏡２４、筆記具２５が挙げられる。もちろん、その他のアクセサリーや時計、ネームプレート、イヤホン等であってもよいことはいうまでもない。
例えば図３のように小型カメラ２１をスーツの襟に着装したバッジ２２に取り付けた場合、この小型カメラ２１で接近してきた人物２６の顔写真を撮影するのである。前記小型カメラ２１の起動については人感センサによって自動で、あるいはバッジ２２の近傍に取り付けたシャッタ（図示せず）を押すこと等によって行わせることができる。
【００１５】
図４は小型カメラと顔認証手段を内蔵した携帯型情報端末の概略を示すものであり、図４（ａ）はＰＤＡやスマートフォン等の携帯型情報端末３１のモニタ３１ａの通常の表示画面３２を示し、図４（ｂ）は携帯型情報端末３１の背面にカメラレンズ部分３４が露出している小型カメラ３３を示している。この携帯型情報端末３１には顔認証手段（アプリソフト）３５と、前記接近してきた人物を含む多数の素性データを記憶させてあるＣＰＵ（記憶領域あり）３６とが内蔵されている。
そして図４（ｃ）において、３７は小型カメラで撮影した顔写真３７ａと当該接近してきた人物の素性データ３７ｂとを表示したＰＤＡやスマートフォン等の携帯型情報端末３１のモニタ３１ａの顔認証時の表示画面である。
このように、前記小型カメラ３３で撮影した顔写真を前記顔認証手段３５で判別し、かつＣＰＵ（記憶領域あり）３６内の顔写真に関連するデータを記憶させてある素性データと照合して当該接近してきた人物を特定して、特定した人物の顔写真３７ａおよび素性データ３７ｂを携帯型情報端末３１のモニタ３１ａに表示するようにしている。
【００１６】
図５は小型カメラ４２、顔認証手段を内蔵したＣＰＵ４３、および携帯型情報端末４１を通信によって接続した場合の概略を示すものである。
この例では、小型カメラ４２をスーツの襟に着装したバッジ４４に一体的に取り付け、接近してきた人物を撮影する。前記接近してきた人物を含む多数の素性データを記憶させてある領域は、前記携帯型情報端末４１とは別体のＣＰＵ４３に内蔵させてある。このＣＰＵ４３としては内ポケット４５等に入れておけるポケットサイズの超小型顔認証処理ボード４６を用いることができ、顔写真と当該接近してきた人物の素性データはＳＤカード（ＳＤメモリーカード）４７に保存し、適宜データを読み書きできるようにしておくことが望ましい。
【００１７】
本実施例においては、小型カメラ４２で撮影した人物の画像データを有線ないし無線の通信手段で超小型顔認証処理ボード４６に内蔵したＣＰＵ４３に送信し、該ＣＰＵ４３の前記接近してきた人物を含む多数の素性データを記憶させてある領域において顔認証を行って人物を特定する。
次いで、前記特定した人物の顔写真および素性データを例えばＢｌｕｅＴｏｏｔｈ（登録商標である：世界中で利用できる２．４ＧＨｚの周波数帯を使った短距離無線通信の規格）等の通信手段を用いて前記携帯型情報端末４１に送信し、該端末４１のモニタ４１ａに表示するのである。
【００１８】
図６は、議員やその秘書、会社の役員や営業マン等の毎日非常に多くの人物に会う職業の人々が利用する場合を説明するためのイメージ図である。
すなわち議員やその秘書５１は接近してきた人物の素性が確実に把握できていない場合、相手に悟られないようにスーツ等に着装した小型カメラ５２で撮影したり、支持者にツーショットの記念撮影を誘って、前記接近してきた人物を含む多数の素性データを記憶させてある領域において顔認証を行って人物を特定する。
その後、迅速に前記特定した人物の顔写真および素性データをＢｌｕｅＴｏｏｔｈ等の通信手段を用いて携帯型情報端末５３に送信させ、メールが入ったフリ等をして悟られないように接近してきた人物の素性等のデータを取得し、的を得た会話に繋げるのである。
【００１９】
図７は、警官や警備員等のセキュリティーを職務とする職業に携わる人々が利用する場合を説明するためのイメージ図である。
すなわち警官や警備員６１は接近してきた人物の素性が確実に把握できていない場合、相手に悟られないように制服等に着装した小型カメラ６２で撮影し、前記接近してきた人物を含む多数の素性データを記憶させてある領域（ブラックリスト）において顔認証を行って人物を特定する。
その後、迅速に前記特定した人物の顔写真および素性データをＢｌｕｅＴｏｏｔｈ等の通信手段を用いて携帯型情報端末６３に送信させ、メールが入ったフリ等をして悟られないように接近してきた人物の素性等のデータを取得し、的を得た会話や逮捕等に繋げるのである。
【産業上の利用可能性】
【００２０】
この発明の顔認証装置は、顔認証のために利用されるばかりでなく、接近してきた人物の特徴、例えば人物の年齢や性別、身長や肩幅、体重等の体格、身に着けている帽子やサングラス、靴やアクセサリー等の認証にも利用することができ、用途も人物の特定だけに限られるものではない。
【符号の説明】
【００２１】
１１  議員やその秘書
１２  人物
２１  小型カメラ
２２  バッジ
２３  タイピン
２４  眼鏡
２５  筆記具
２６  人物
３１  携帯型情報端末
３１ａ  モニタ
３２  通常の表示画面
３３  小型カメラ
３４  カメラレンズ部分
３５  顔認証手段（アプリソフト）
３６  ＣＰＵ（記憶領域あり）
３７  顔認証時の表示画面
３７ａ  顔写真
３７ｂ  素性データ
４１  携帯型情報端末
４１ａ  モニタ
４２  小型カメラ
４３  ＣＰＵ
４４  バッジ
４５  内ポケット
４６  超小型顔認証処理ボード
４７  ＳＤカード（ＳＤメモリーカード）
５１  議員やその秘書
５２  小型カメラ
５３  携帯型情報端末
６１  警官や警備員
６２  小型カメラ
６３  携帯型情報端末
【図１】
2018106445.tif 000003
【図２】
2018106445.tif 000004
【図３】
2018106445.tif 000005
【図４】
2018106445.tif 000006
【図５】
2018106445.tif 000007
【図６】
2018106445.tif 000008
【図７】
2018106445.tif 000009